【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）に対する、第１の状態から第２の状態への状態遷移を実行する方法であって、
前記ＷＴＲＵに対する状態遷移状態が発生していたかをチェックするステップと、
前記状態遷移状態が発生していたことを条件に、前記第２の状態が高速ダウンリンク共有チャネル（ＨＳ−ＤＳＣＨ）受信をサポートするかをチェックするステップと、
前記第２の状態がＨＳ−ＤＳＣＨ受信をサポートしないことを条件に、ＨＳ−ＤＳＣＨリソースを解放するステップと
を備えたことを特徴とする方法。
【請求項２】
前記第１の状態がＨＳ−ＤＳＣＨ受信をサポートし、および、前記第２の状態がＨＳ−ＤＳＣＨ受信をサポートしないことを条件に、前記ＨＳ＿ＤＳＣＨ＿ＲＥＣＥＰＴＩＯＮ＿ＧＥＮＥＲＡＬ変数をＦＡＬＳＥに設定し、ならびに、
前記第１の状態がＨＳ−ＤＳＣＨ受信をサポートせず、および、前記第２の状態がＨＳ−ＤＳＣＨ受信をサポートすることを条件に、前記ＨＳ＿ＤＳＣＨ＿ＲＥＣＥＰＴＩＯＮ＿ＧＥＮＥＲＡＬ変数をＴＲＵＥに設定することによって、
ＨＳ＿ＤＳＣＨ＿ＲＥＣＥＰＴＩＯＮ＿ＧＥＮＥＲＡＬ変数を介して、状態Ｃｅｌｌ＿ＦＡＣＨ、Ｃｅｌｌ＿ＰＣＨ、ＵＲＡ＿ＰＣＨ、およびＣｅｌｌ＿ＤＣＨのいずれかに対するＨＳ＿ＤＳＣＨ受信の前記状態を示すステップ
をさらに備えたことを特徴とする請求項１に記載の方法。
【請求項３】
前記ＨＳ−ＤＳＣＨリソースを解放するステップは、
（１）ＨＳ−ＤＳＣＨ受信を停止するステップと、
（２）少なくとも１つのＨＳ−ＤＳＣＨ無線ネットワーク一時識別子（Ｈ−ＲＮＴＩ）を消去するステップと、
（３）媒体アクセス制御（ＭＡＣ）−ｅｈｓエンティティを再設定するステップと、
（４）ハイブリッド自動再送要求（ＨＡＲＱ）リソースを解放するステップと、
（５）ＨＡＲＱ情報に関する少なくとも１つの記憶された情報要素を消去するステップと
のいずれか１つまたは複数を含むことを特徴とする請求項１に記載の方法。
【請求項４】
前記第２の状態がＨＳ−ＤＳＣＨ受信をサポートするかをチェックするステップは、
状態インジケータを読み取って、ＨＳ−ＤＳＣＨ受信を判定するステップを含むことを特徴とする請求項１に記載の方法。
【請求項５】
システム情報ブロック（ＳＩＢ）５／５ｂｉｓまたはＳＩＢ６／６ｂｉｓの少なくとも１つにおいて、情報要素を読み取って、ＨＳ−ＤＳＣＨ受信状態を判定するステップを含むことを特徴とする請求項１に記載の方法。
【請求項６】
ワイヤレス送受信ユニット（ＷＴＲＵ）に対する、状態遷移を管理する方法であって、  状態Ｃｅｌｌ＿ＦＡＣＨ、Ｃｅｌｌ＿ＰＣＨ、ＵＲＡ＿ＰＣＨ、およびＣｅｌｌ＿ＤＣＨのいずれかに対する高速ダウンリンク共有チャネル（ＨＳ−ＤＳＣＨ）受信の前記状態を示す、単一ＨＳ＿ＤＳＣＨ＿ＲＥＣＥＰＴＩＯＮ＿ＧＥＮＥＲＡＬ変数を設定するステップと、
前記ＨＳ＿ＤＳＣＨ＿ＲＥＣＥＰＴＩＯＮ＿ＧＥＮＥＲＡＬがＦＡＬＳＥに設定されるときに、
ＨＳ−ＤＳＣＨ受信を停止するステップと、
無線ネットワーク一時識別子（ＲＮＴＩ）を消去するステップと、
媒体アクセス制御（ＭＡＣ）エンティティを再設定するステップと、
ハイブリッド自動再送要求（ＨＡＲＱ）リソースを解放するステップと、
ＨＡＲＱ情報に関する任意の記憶された情報要素を消去するステップと
を備えたことを特徴とする方法。
【請求項７】
前記単一ＨＳ＿ＤＳＣＨ＿ＲＥＣＥＰＴＩＯＮ＿ＧＥＮＥＲＡＬ変数を設定するステップは、
前記状態遷移後の前記ＷＴＲＵの状態が、ＨＳ−ＤＳＣＨ受信をサポートしないことを条件に、前記単一ＨＳ＿ＤＳＣＨ＿ＲＥＣＥＰＴＩＯＮ＿ＧＥＮＥＲＡＬ変数をＦＡＬＳＥに設定するステップと、
前記状態遷移後の前記ＷＴＲＵの前記状態が、ＨＳ−ＤＳＣＨ受信をサポートすることを条件に、前記単一ＨＳ＿ＤＳＣＨ＿ＲＥＣＥＰＴＩＯＮ＿ＧＥＮＥＲＡＬ変数をＴＲＵＥに設定するステップと
を含むことを特徴とする請求項６に記載の方法。
【請求項８】
第１の状態から第２の状態への状態遷移を管理するように構成されたワイヤレス送受信ユニット（ＷＴＲＵ）であって、
前記ＷＴＲＵに対する状態遷移状態が発生していたかをチェックし、
前記状態遷移状態が発生していたことを条件に、前記第２の状態が高速ダウンリンク共有チャネル（ＨＳ−ＤＳＣＨ）受信をサポートするかをチェックし、および、
前記第２の状態がＨＳ−ＤＳＣＨ受信をサポートしないことを条件に、ＨＳ−ＤＳＣＨリソースを解放する
ように構成されたプロセッサを備えたことを特徴とするＷＴＲＵ。
【請求項９】
前記プロセッサは、
前記第１の状態がＨＳ−ＤＳＣＨ受信をサポートし、および、前記第２の状態がＨＳ−ＤＳＣＨ受信をサポートしないことを条件に、前記ＨＳ＿ＤＳＣＨ＿ＲＥＣＥＰＴＩＯＮ＿ＧＥＮＥＲＡＬ変数をＦＡＬＳＥに設定し、ならびに、
前記第１の状態がＨＳ−ＤＳＣＨ受信をサポートせず、および、前記第２の状態がＨＳ−ＤＳＣＨ受信をサポートすることを条件に、前記ＨＳ＿ＤＳＣＨ＿ＲＥＣＥＰＴＩＯＮ＿ＧＥＮＥＲＡＬ変数をＴＲＵＥに設定することによって、
ＨＳ＿ＤＳＣＨ＿ＲＥＣＥＰＴＩＯＮ＿ＧＥＮＥＲＡＬ変数を介して、状態Ｃｅｌｌ＿ＦＡＣＨ、Ｃｅｌｌ＿ＰＣＨ、ＵＲＡ＿ＰＣＨ、およびＣｅｌｌ＿ＤＣＨのいずれかに対するＨＳ＿ＤＳＣＨ受信の前記状態を判定する
ようにさらに構成されていることを特徴とする請求項８に記載のＷＴＲＵ。
【請求項１０】
前記プロセッサは、
（１）ＨＳ−ＤＳＣＨ受信を停止することと、
（２）少なくとも１つのＨＳ−ＤＳＣＨ無線ネットワーク一時識別子（Ｈ−ＲＮＴＩ）を消去することと、
（３）媒体アクセス制御（ＭＡＣ）−ｅｈｓエンティティを再設定することと、
（４）ハイブリッド自動再送要求（ＨＡＲＱ）リソースを解放することと、
（５）ＨＡＲＱ情報に関連する少なくとも１つの記憶された情報要素を消去することと
のいずれか１つまたは複数によって前記ＨＳ−ＤＳＣＨリソースを解放するようにさらに構成されていることを特徴とする請求項８に記載のＷＴＲＵ。
【請求項１１】
前記プロセッサは、状態インジケータを読み取って、ＨＳ−ＤＳＣＨ受信を判定するようにさらに構成されていることを特徴とする請求項８に記載のＷＴＲＵ。
【請求項１２】
前記ＷＴＲＵは、システム情報ブロック（ＳＩＢ）５／５ｂｉｓまたはＳＩＢ６／６ｂｉｓの少なくとも１つにおいて、情報要素を読み取って、ＨＳ−ＤＳＣＨ受信状態を判定するように構成されていることを特徴とする請求項８に記載のＷＴＲＵ。
【請求項１３】
状態遷移を管理するように構成されたワイヤレス送受信ユニット（ＷＴＲＵ）であって、
状態Ｃｅｌｌ＿ＦＡＣＨ、Ｃｅｌｌ＿ＰＣＨ、ＵＲＡ＿ＰＣＨ、およびＣｅｌｌ＿ＤＣＨのいずれかに対する高速ダウンリンク共有チャネル（ＨＳ−ＤＳＣＨ）受信の前記状態を示す、単一ＨＳ＿ＤＳＣＨ＿ＲＥＣＥＰＴＩＯＮ＿ＧＥＮＥＲＡＬ変数を設定し、
前記ＨＳ＿ＤＳＣＨ＿ＲＥＣＥＰＴＩＯＮ＿ＧＥＮＥＲＡＬがＦＡＬＳＥに設定されるときに、
ＨＳ−ＤＳＣＨ受信を停止し、
無線ネットワーク一時識別子（ＲＮＴＩ）を消去し、
媒体アクセス制御（ＭＡＣ）エンティティを再設定し、
ハイブリッド自動再送要求（ＨＡＲＱ）リソースを解放し、ならびに、
ＨＡＲＱ情報に関する任意の記憶された情報要素を消去する
ように構成されたプロセッサを備えたことを特徴とするＷＴＲＵ。
【請求項１４】
前記プロセッサは、
前記状態遷移後の前記ＷＴＲＵの状態が、ＨＳ−ＤＳＣＨ受信をサポートしないことを条件に、前記単一ＨＳ＿ＤＳＣＨ＿ＲＥＣＥＰＴＩＯＮ＿ＧＥＮＥＲＡＬ変数をＦＡＬＳＥに設定し、ならびに、
前記状態遷移後の前記ＷＴＲＵの前記状態が、ＨＳ−ＤＳＣＨ受信をサポートすることを条件に、前記単一ＨＳ＿ＤＳＣＨ＿ＲＥＣＥＰＴＩＯＮ＿ＧＥＮＥＲＡＬ変数をＴＲＵＥに設定する
ようにさらに構成されていることを特徴とする請求項１３に記載のＷＴＲＵ。